(57)【特許請求の範囲】
【請求項１】
耐腐食性の糸によって細幅の格子状の補強帯を形成すると共に、腐食性の糸によって補強帯間に植生領域を形成するように、耐腐食性の糸と腐食性の糸とによって二枚の網状シートを編織し、かつ、この網状シートの編織に際して、シート長さ方向で連続的に袋部を形成するように、二枚の網状シートを編織して、この袋部を備えたマット基材を、それの長さ方向を法面の傾斜方向に向けて法面に設置すると共に、適宜間隔置きの袋部に、少なくとも種子を含んだ客土を注入する一方、客土を注入しなかった袋部を飛来種子の着床待機領域とすることで、マット基材によって法面の表層侵食・崩壊を防止しながら現地植生を導入させることを特徴する客土注入マットによる法面の緑化保護工法。
【請求項２】
耐腐食性の糸によって細幅の格子状の補強帯を形成すると共に、腐食性の糸によって補強帯間に植生領域を形成するように、耐腐食性の糸と腐食性の糸とによって網状シートを編織し、かつ、この網状シートの編織に際して、シート長さ方向の適宜間隔で、補強帯と植生領域とを形成する糸のそれぞれ半数によって袋部を形成するように、２枚の網状シート部分を編織し、この適宜間隔に袋部を備えたマット基材を、それの長さ方向を法面の傾斜方向に向けて法面に設置すると共に、袋部に少なくとも種子を含んだ客土を注入する一方、客土を注入しなかった袋部を飛来種子の着床待機領域とすることで、マット基材によって法面の表層侵食・崩壊を防止しながら現地植生を導入させることを特徴する客土注入マットによる法面の緑化保護工法。
【請求項３】
耐腐食性の糸によって細幅の格子状の補強帯を形成すると共に、腐食性の糸によって補強帯間に植生領域を形成するように、耐腐食性の糸と腐食性の糸とによって網状シートを編織し、この網状シートと同じ構成のものを短尺にして袋用網状シートとし、この袋用網状シートを前記網状シートに対してシート長さ方向の適宜間隔に、連結して両シート間に袋部を形成し、この適宜間隔に袋部を備えたマット基材を、それの長さ方向を法面の傾斜方向に向けて法面に設置すると共に、袋部に少なくとも種子を含んだ客土を注入する一方、客土を注入した袋部間のシート部分を飛来種子の着床待機領域とすることで、マット基材によって法面の表層侵食・崩壊を防止しながら現地植生を導入させることを特徴する客土注入マットによる法面の緑化保護工法。
【請求項４】
客土が、法面の緑化対象周域の埋土種子を含む表層土である請求項１〜３のいずれかに記載の客土注入マットによる法面の緑化保護工法。
【発明の詳細な説明】
【０００１】
【発明の属する技術分野】
本発明は、現地植生の導入を容易に可能とした客土注入マットによる法面の緑化保護工法に関するものである。
【０００２】
【従来の技術】
法面の緑化保護に際して、現地周域の植物相を混乱させないためには、現地の植生を導入することが望ましいことは言うまでもなく、このため、従来は、地域種子の取り蒔きを行ったり、植生ネットを法面に張設して、周辺植生から飛来する種子を待ち受けたりして、現地植生を導入するようにしていた。
【０００３】
【発明が解決しようとする課題】
しかし、地域種子の取り蒔きには、多大の人手と時間がかゝり、飛来種子の待ち受けにしても、種子が着床して発芽・生育するまでには長時間を要し、いずれにしても、施工数ヶ月後の植被率は余り高く望めず、この間に法面の表層侵食や崩壊が生じる可能性が大であった。
【０００４】
本発明は、かゝる実情に鑑みて成されたものであって、その目的は、施工直後から法面の表層侵食・崩壊を防止できる上に、施工数ヶ月後の植被率も高く確保でき、しかも、施工数ヶ月後には、周辺植生種子の飛来を受け止めやすくなる法面の緑化保護工法を提供する点にある。
【０００５】
【課題を解決するための手段】
本発明による請求項１記載の法面の緑化保護工法は、耐腐食性の糸によって細幅の格子状の補強帯を形成すると共に、腐食性の糸によって補強帯間に植生領域を形成するように、耐腐食性の糸と腐食性の糸とによって二枚の網状シートを編織し、かつ、この網状シートの編織に際して、シート長さ方向で連続的に袋部を形成するように、二枚の網状シートを編織して、この袋部を備えたマット基材を、それの長さ方向を法面の傾斜方向に向けて法面に設置すると共に、適宜間隔置きの袋部に、少なくとも種子を含んだ客土を注入する一方、客土を注入しなかった袋部を飛来種子の着床待機領域とすることで、マット基材によって法面の表層侵食・崩壊を防止しながら現地植生を導入させる点に特徴がある。
【０００６】
本発明による請求項２記載の法面の緑化保護工法は、耐腐食性の糸によって細幅の格子状の補強帯を形成すると共に、腐食性の糸によって補強帯間に植生領域を形成するように、耐腐食性の糸と腐食性の糸とによって網状シートを編織し、かつ、この網状シートの編織に際して、シート長さ方向の適宜間隔で、補強帯と植生領域とを形成する糸のそれぞれ半数によって袋部を形成するように、２枚の網状シート部分を編織し、この適宜間隔に袋部を備えたマット基材を、それの長さ方向を法面の傾斜方向に向けて法面に設置すると共に、袋部に少なくとも種子を含んだ客土を注入する一方、客土を注入しなかった袋部を飛来種子の着床待機領域とすることで、マット基材によって法面の表層侵食・崩壊を防止しながら現地植生を導入させる点に特徴がある。
【０００７】
本発明による請求項３記載の法面の緑化保護工法は、耐腐食性の糸によって細幅の格子状の補強帯を形成すると共に、腐食性の糸によって補強帯間に植生領域を形成するように、耐腐食性の糸と腐食性の糸とによって網状シートを編織し、この網状シートと同じ構成のものを短尺にして袋用網状シートとし、この袋用網状シートを前記網状シートに対してシート長さ方向の適宜間隔に、連結して両シート間に袋部を形成し、この適宜間隔に袋部を備えたマット基材を、それの長さ方向を法面の傾斜方向に向けて法面に設置すると共に、袋部に少なくとも種子を含んだ客土を注入する一方、客土を注入した袋部間のシート部分を飛来種子の着床待機領域とすることで、マット基材によって法面の表層侵食・崩壊を防止しながら現地植生を導入させる点に特徴がある
【０００８】
上記各発明は、法面を覆うようにマット基材を設置し、このマット基材の袋部に、少なくとも種子を含む客土を注入して、いわゆる客土注入マットによって法面の緑化保護を図るもので、かゝる法面の緑化保護工法によれば、マット基材の施工直後から法面の表層侵食・崩壊が効果的に防止される。
【０００９】
そして、やがては客土が含む種子が発芽・生育することで、施工数ヶ月後の植被率が高く確保されるのであり、かつ、施工数ヶ月後には、植生領域を形成する腐食性の糸が腐食し消滅するが、耐腐食性の糸による補強帯が格子状の残ることで、法面の表層侵食・崩壊は継続して効果的に防止されることになる。
【００１０】
一方、客土を注入した袋部間のシート部分では、上記したように、施工数ヶ月後に植生領域の糸が腐食し消滅することで、この植生領域が飛来種子の着床待機領域と化し、ここに飛来種子が定着して発芽・生育することで、法面は現地植生の導入によって緑化保護されることになる。
【００１１】
客土として、法面の緑化対象周域の埋土種子を含む表層土を選択することが、現地周域の植物相を混乱させない上で好適であるが（請求項４）、例えば外来の牧草種子は発芽・生育が早いことから、早期の植被率を高く確保する上で、客土に牧草種子を含めてもよく、また、低木の木本種子を客土に含めることも好適であって、この木本種子が発芽・生育したならば、法尻からの目視の植被率が高くなる利点がある。
【００１２】
【発明の実施の形態】
以下、本発明の実施の形態を図面に基づいて説明する。図１は客土注入マット１による法面Ｎの緑化保護状況を示し、本発明では、袋部２を連続的に備えたマット基材３に対して、それの所定間隔置きの袋部２に客土４を注入したものを客土注入マット１としている。
【００１３】
上記のマット基材３は次のように構成されている。即ち、図２及び図３に示すように、耐腐食性の糸５によって細幅の格子状の補強帯６を形成すると共に、腐食性の高い糸７によって補強帯６間に植生領域Ａを形成するように、耐腐食性の糸５と腐食性の高い糸７とによって、例えば横幅が１００〜２００ｃｍの網状シート８を上下二枚連続的に編織しながら、かつ、この網状シート８の編織に際して、シート長さ方向で連続的に袋部２を形成するように、また、シート端部に客土４の注入口９を形成するように、二枚の網状シート８の補強帯６どうしを編織し、更に、袋部２に絞り込み部１０を形成するように、二枚の網状シート８の補強帯６どうしをシート８の面方向で所定の間隔を隔てて連結するように編織して、袋部２を連続的に備えたマット基材３を連続的に構成しているのである。
【００１４】
この実施の形態では、耐環境性に優れ、長期にわたって耐久性のあるポリエステルやポリアミド、ポリエチレン、ナイロン、ビニロン等の人造繊維による５００〜１０００デニールの耐腐食性の糸５を用いて、幅が１〜３ｃｍの格子状補強帯６を形成しており、この補強帯６による植生領域Ａの大きさを７〜１０ｃｍ四方としている。
【００１５】
一方、腐食性の高い糸７として、耐環境性に劣る早期の腐食化が容易な綿や麻等の天然繊維、その他、レーヨン、アセテート、キュプラ等のセルロース糸再生繊維の５００〜１０００デニールのものを用いて、植生領域Ａの７〜１０ｃｍの間隔に５０〜８０本を配置するようにしている。
【００１６】
次に、客土注入マット１による法面Ｎの緑化保護について説明する。先ずは、袋部２を連続的に備えたマット基材３を、それの袋部２の連続方向（シートの長さ方向）を法面Ｎの傾斜方向に向けて法面Ｎに設置し、かつ、所定間隔置きの袋部（この実施の形態では二袋置きの二つ）２に草本種子を配合した客土４を注入し、この作業を繰り返し行って、客土注入マット１によって緑化保護対象の法面Ｎを覆うのであり、そして必要に応じて、客土注入マット１をアンカー１１で固定するのである。
【００１７】
上記の客土４としては、法面Ｎの緑化対象周域の埋土種子を含む表層土であることが望ましいが、例えば土壌と土壌改良剤の他に、バーク、ピートモス、パーライト、バーミキュライト等の見かけの比重が０．１〜０．５程度の植生基材を適宜混合したものも好適に用いられ、これに配合される草本種子としては、周辺地域で採取した現地植生の草本種子や低木の木本種子、その他、外来種の草本種子（例えば発芽・生育の早い牧草種子）などが選択される。
【００１８】
この客土４の注入に際して、植生基材を水で混練して、これをポンプで注入する湿式注入の形態をとってもよいのであるが、効率的には、上記の植生基材と草本種子とを乾式吹付け機１２の撹拌タンク１３に供給して、植生基材と草本種子とを十分に撹拌し、この撹拌によって得られた客土４を、ホース１４を通して吹付ノズル１５に圧送し、注入口９を通して袋部２に注入する形態をとることであり、注入口９は、適宜ファスナーなどによって閉じるものとする。
【００１９】
上記法面Ｎの緑化保護工法によれば、客土注入マット１を法面Ｎの緑化保護面に施工することで、その施工直後、直ちに法面Ｎの表層侵食・崩壊が防止されるのであり、そして、やがては客土４に配合した種子が発芽・生育することで、施工数ヶ月後の植被率が高く確保されるのであって、草本種子として、特に発芽・生育の早い外来種の牧草種子を選択した場合は、早期の緑化が達成されることになる。
【００２０】
ここで、マット基材３を構成する網状シート８として、これを耐腐食性の糸５と腐食性の高い糸７とによる編織シートとしているので、施工数ヶ月後には、植生領域Ａを形成する腐食性の高い糸７が腐食して消滅してしまうが、耐腐食性の糸５による補強帯６が格子状の残ることで、法面Ｎの表層侵食・崩壊は継続して効果的に防止されるのである。
【００２１】
一方、客土４を注入しなかった袋部２は、ここでは草本類の生育が殆どなくて、太陽光の紫外線を多く浴びることから、植生領域Ａにおける腐食性の高い糸７が劣化し易くなり、かつ、この糸７が上記したように腐食して消滅してしまうことで、植生領域Ａが飛来種子の着床待機領域と化すのであって、ここに飛来種子が定着して発芽・生育することで、法面Ｎは現地植生の導入によって緑化保護されることになる。
【００２２】
更には、客土４に低木の木本種子を配合した場合は、これが長期間を経過して生育した際に、法尻からの目視の植被率が高くなり、かつ、低木種による樹林化の達成によって、法面Ｎの見栄えも良くなるのである。
【００２３】
尚、シート長さ方向での袋部２の寸法は、客土４を注入した状態で、少なくとも３０〜５０ｃｍ程度あることが望ましい。即ち、客土４の量が少ないことは保水量も少なくなることで、客土４の乾燥を生じる虞れがあり、延いては導入種子の発芽・生育が阻害されることになる。
【００２４】
このことから、客土注入状態での袋部２の寸法を、３０〜５０ｃｍあるいはそれ以上にすることが望ましいのであるが、客土注入状態での袋部２の寸法が、例えば１５ｃｍや２０ｃｍなど短くとも、隣り合う連続した袋部２に客土４を注入して、合計で３０ｃｍ以上になるようにしてもよいのである。
【００２５】
上記の構成によるマット基材３は、請求項１記載の工法に用いられるもので、請求項２記載の工法に用いられるマット基材３は、図４に示すように、上記構成の網状シート８の一枚を編織する際に、シート長さ方向の適宜間隔で、補強帯６と植生領域Ａとを形成する糸５，７のそれぞれ半数によって袋部２を形成するように、２枚の網状シート部分を編織しながら、かつ、シート端部に客土４の注入口９を形成するように、二枚の網状シート部分の補強帯６どうしを編織し、更に、袋部２に絞り込み部１０を形成するように、二枚の網状シート部分の補強帯６どうしをシート８の面方向で所定の間隔を隔てて連結するように編織して、袋部２を連続的に備えたものとする。
【００２６】
また、請求項３記載の工法に用いられるマット基材としては、図示は省略するが、上記構成の網状シート８を短く切って、この短尺のシートを長尺の網状シート８に、縫合などの手段によってシート長さ方向で適宜の間隔置きに連結して、客土４の注入口９を備えた袋部２を備えたものとし、かつ、袋部２には、客土４の注入口９と絞り込み部１０とを形成するものとする。
【００２７】
尚、袋部２の絞り込み部１０を省略して実施可能であり、また、網状シート８として、腐食性の高い糸７によってシートを編織して、このシートに耐腐食性の糸５による格子状の補強帯６を編み込んだ構成にしてもよい。
【００２８】
上記の実施の形態では、二袋置きの二つの袋部２に草本種子配合の客土４を注入しているが、図５に概略図示するように、四袋置きの二つの袋部２に客土４を注入（斜線を引いて示している。）したり、図６に概略図示するように、例えば市松模様を呈するように客土４を注入（同じく斜線を引いて示している。）するなど、任意の注入形態をとることが可能である。
【００２９】
【発明の効果】
以上説明したように、本発明によれば、施工直後から法面の表層侵食・崩壊が防止されると共に、施工数ヶ月後の植被率も高く確保でき、しかも、施工数ヶ月後には、飛来する周辺の植生種子の受け止めが可能になる上に、この後も法面の表層侵食・崩壊の防止が継続的に行われるところの、好ましい現地植生の導入よる法面の緑化保護工法が提供される。
【図面の簡単な説明】
【図１】  客土注入マットによる法面の緑化保護状況を示す斜視図である。
【図２】  主要部を取り出して拡大図示した客土注入マットの部分斜視図である。
【図３】  法面に設置した客土注入マットの断面斜視図である。
【図４】  別の実施の形態によるマット基材の部分斜視図である。
【図５】  異なる形態の客土注入状態を示す概略の配置図である。
【図６】  更に異なる形態の客土注入状態を示す概略の配置図である。
【符号の説明】
２…袋部、３…マット基材、４…客土、５…耐腐食性の糸、６…補強帯、７…腐食性の糸、８…網状シート、９…客土注入口、１０…絞り込み部、Ａ…植生領域、Ｎ…法面。
【図１】
0004368488.tif 000002
【図２】
0004368488.tif 000003
【図３】
0004368488.tif 000004
【図４】
0004368488.tif 000005
【図５】
0004368488.tif 000006
【図６】
0004368488.tif 000007